(57)【特許請求の範囲】
【請求項１】
バンドの両端に配置したオス、メスの止着具を具備し、手首又は足首の周りに着脱可能としたバンド式形態の取り付け具に保持されて、内部に血液が存在する生体の手首又は足首の周りに手首又は足首を挟んで２個を分離して夫々相対向して配置する直方体状の電磁波作用体を具備したバンド着脱式の血液酸化ストレス抑制具であって、
前記生体の手首又は足首の周りに手首又は足首を挟んで２個を分離して夫々相対向して配置する電磁波作用体は、直方体状の容器内に配置されて電磁波を放射するとともに、複種類の金属酸化物を粉体化して１０００〜１４００℃で熱処理して形成した直方体状の黒体放射焼結体と、この黒体放射焼結体と重合配置されて黒体放射焼結体が放射する電磁波を磁界により収束して手首又は足首内の血管中の血液に作用させるようにしたとともに、直径１ｍｍ以下の微細な電磁波通過穴が多数設けられて当該各電磁波通過穴がその重なり方向で一直線に並ぶように配列構成とした長方形状の複数の各磁石板のＮ極とＳ極とを交互に配置して非磁性体被覆を用いて多層の一体構造とした孔空き構造の多層磁性体と、をもって構成したことを特徴とするとともに、
前記血液酸化ストレス抑制具を手首又は足首の周りに取り付けた際、前記電磁波作用体を構成する前記黒体放射焼結体が放射する電磁波を、前記多層の各磁性体の一直線に並んだ多数の各電磁波通過穴を通過させて磁界により収束して、前記黒体放射焼結体から放射されて多層磁性体を通過した特定波長の電磁波により生体構成要素である手首又は足首内の血管を流れる血液中の水分の水素核に共鳴を発生させることにより、血液中の水分の凝集体を小さくし、当該水分の凝集体が小さくなったことで、水和電子の位置を凝集体の外側に移動させて、血液の流れによる運動エネルギーで水和電子を血管内に流通させて、血管内の血液中の活性酸素を抑制し、血液の鎮静効果を得られ、血液の酸化ストレスを抑制又は減少させるとともに脳の働きを活発化できるように構成したことを特徴とするバンド着脱式の血液酸化ストレス抑制具。
【発明の詳細な説明】
【技術分野】
【０００１】
本発明は、バンド着脱式血液酸化ストレス抑制具に関し、詳しくは、生体に対するバンド着脱式で取り扱いが簡略な構成の基に生体の血管内を流れる血液の酸化ストレスの抑制を行うバンド着脱式血液酸化ストレス抑制具に関するものである。
【背景技術】
【０００２】
生体における血液の酸化ストレスの蓄積により、老化や、動脈硬化、高血圧、肥満、不眠症、骨折や脳卒中等の疾病を引き起こすが知られている。そのため、できるだけ血中の酸化ストレスを減らすことが望まれている。
例えば、生体の血圧を低下させる方法としては、従来、降圧剤を投与して高血圧を低下させる方法が行われている。
【０００３】
上述した降圧剤は、投与し過ぎると血圧が下がり過ぎる問題があり、また、降圧剤を生体に一度使用し始めると、長期間使用し続ける必要もあり、高額な費用がかかると同時に肝臓への負担も大きく、健康上の障害も発生することもあった。
【０００４】
特許文献１には、本発明に関連する技術として、本願発明の前提となる特許発明であって、パイプに流れる流体を活性化させるために、パイプの外周に配設される流体活性体を備えた流体活性化装置において、前記流体活性体は、複種類の金属酸化物の粉体を高温で焼結させた黒体放射焼結体と、この黒体放射焼結体より放射される電磁波を一定の波長に収束させる電磁波収束体とからなる流体活性化装置が開示されている。
【０００５】
特許文献２には、互いに標準電極電位の異なる２種類の金属板を二層構造にして電位差を設けた積層対を管状にして燃料輸送管の周囲を囲んで固定し、発生した電荷及び電磁波により、燃料輸送管中の燃料を活性化するように構成し、燃料においては燃費の改善、水においては水道管を汚さずしかも身体に吸収しやすくし、血液においては粘度を下げて循環を良好にし得るとする活性化装置が提案されている。
【０００６】
しかし、特許文献２の活性化装置は、主として燃料輸送管中の燃料を活性化することを主眼としており、生体に対して簡略に着脱し得る簡易な構成の基に血液の酸化ストレスの抑制を行うような技術は包含していない。
【０００７】
特許文献３には、内部を血液が循環する体外循環チューブとダイアライザーを含む血液浄化療法用装置であって、該装置を循環する血液が、波長２８０〜７６０ｎｍ（ＵＶ領域を除く）の電磁波の被曝することを抑制する機構を設けた血液浄化療法用装置が提案されている。
【０００８】
しかし、特許文献３の血液浄化療法用装置は、体外循環チューブとダイアライザーを含む極めて複雑な構成であり、生体に対して簡略に着脱し得る簡易な構成の基に血液の酸化ストレスの抑制を行うような技術は包含していない。
【先行技術文献】
【特許文献】
【０００９】
【特許文献１】特許第３９５２４７７号公報
【特許文献２】特開２００５−２８１９８７公報
【特許文献３】特許第３７８２６７８号公報
【発明の概要】
【発明が解決しようとする課題】
【００１０】
本発明は、特許文献１の流体活性化装置の発明を前提として、生体に対するバンド着脱式で取り扱いが簡略な構成の基に生体の血管内を流れる血液の酸化ストレスの抑制を行うバンド着脱式血液酸化ストレス抑制具を提供するものである。
【課題を解決するための手段】
【００１１】
本発明に係るバンド着脱式血液酸化ストレス抑制具は、内部に血液が存在する生体構成要素の周りに巻き付け両端同士を着脱可能に止め付けるバンド式の取り付け具と、前記取り付け具により、前記生体構成要素の外周に、この生体構成要素を挟んで正対するように分離配置されるとともに、生体構成要素内の血管中の血液に磁界により収束した電磁波を作用させる複数個の電磁波作用体と、を有することを最も主要な特徴とする。
【発明の効果】
【００１２】
請求項１記載の発明によれば、複数個の電磁波作用体を保持したバンド式の取り付け具を生体構成要素、例えば手首又は足首に巻き付け両端同士を止め付けることによって、電磁波作用体を、容器と、この容器内に配置した電磁波を放射する黒体放射焼結体と、この黒体放射焼結体と重合配置され前記黒体放射焼結体が放射する電磁波を磁界により収束して手首又は足首内の血管中の血液に作用させる孔空き構造の多層磁性体と、により構成して、当該電磁波作用体を構成する黒体放射焼結体から放射され多層磁性体を通過した特定波長の電磁波により生体構成要素、例えば手首又は足首内の血管を流れる血液中の水分の水素核に共鳴を発生させ、これにより水の凝集体を小さくし、水和電子の位置を凝集体の外側に移動させ、その血液の流れによる運動エネルギーで水和電子を血管内に流通させことによって、生体における血管内の血液中の活性酸素を抑制、すなわち、血液の酸化ストレスを効果的に抑制することができる取り扱いの簡略なバンド着脱式血液酸化ストレス抑制具を実現し提供することができる。
【図面の簡単な説明】
【００１４】
【図１】図１は本発明の実施例に係るバンド着脱式血液酸化ストレス抑制具の全体構成を示す概略正面図である。
【図２】図２は本実施例に係るバンド着脱式血液酸化ストレス抑制具の全体構成を示す概略平面図である。
【図３】図３は本実施例に係るバンド着脱式血液酸化ストレス抑制具を構成する電磁波作用体の概略断面図である。
【図４】図４は本実施例に係るバンド着脱式血液酸化ストレス抑制具における電磁波作用体を構成する多層磁性体の要素である磁石板を示す平面図である。
【図５】図５は本実施例に係るバンド着脱式血液酸化ストレス抑制具の手首への取り付け例を示す概略側面図である。
【図６】図６は本実施例に係るバンド着脱式血液酸化ストレス抑制具の足首への取り付け例を示す概略側面図である。
【図７】図７は本実施例に係るバンド着脱式血液酸化ストレス抑制具の足首への取り付け例を示す概略断面図である。
【図８】図８は本実施例に係るバンド着脱式血液酸化ストレス抑制具を使用した後の９人の血液提供者のｄ−ＲＯＭ・ＢＡＰ測定結果を示す表である。
【図９】図９は本実施例に係るバンド着脱式血液酸化ストレス抑制具の使用前後の９人の血液のＢＡＰ／ｄ−ＲＯＭ比を示すグラフである。
【図１０】図１０は本実施例に係るバンド着脱式血液酸化ストレス抑制具の使用前後のマウスにおけるＢＡＰ／ｄ−ＲＯＭ比を示すグラフである。
【図１１】図１２は本実施例に係るバンド着脱式血液酸化ストレス抑制具を使用する前後における被験者の計算テスト結果と脳の状態を概略的に示す図である。
【図１２】図１２は本実施例に係るバンド着脱式血液酸化ストレス抑制具を使用する前後における別の被験者の計算テスト結果と脳の状態を概略的に示す図である。
【発明を実施するための形態】
【００１５】
本発明は、生体に対するバンド着脱式で取り扱いが簡略な構成の基に生体の血管内を流れる血液の酸化ストレスの抑制を効果的に行うバンド着脱式血液酸化ストレス抑制具を提供するという目的を、内部に血液が存在する生体の手首又は足首の周りに巻き付け両端同士を着脱可能に止め付けるバンド式の取り付け具と、前記取り付け具により、前記手首又は足首の外周に、この手首又は足首を挟んで正対するように分離配置されるとともに、手首又は足首内の血管中の血液に磁界により収束した電磁波を作用させる複数個の電磁波作用体と、を有する構成により実現した。
【実施例】
【００１６】
以下、本発明の実施例に係るバンド着脱式血液酸化ストレス抑制具について図面を参照して詳細に説明する。
【００１７】
本発明の実施例に係るバンド着脱式血液酸化ストレス抑制具１は、詳細は後述する黒体放射焼結体２３から放射され多層磁性体２４を通過した特定波長の電磁波により生体構成要素である手首３１又は足首３２内の血管を流れる血液中の水分の水素核に共鳴を発生させ、これにより水の凝集体を小さくする。
【００１８】
そして、水の凝集体が小さくなったことで水和電子の位置を凝集体の外側に移動させて、その血液の流れによる運動エネルギーで水和電子を血管内に流通させ、血管内の血液中の活性酸素を抑制、すなわち、血液の酸化ストレスを抑制するものである。
【００１９】
本実施例に係るバンド着脱式血液酸化ストレス抑制具１について図１乃至図４を参照して具体的に説明する。
【００２０】
本実施例に係るバンド着脱式血液酸化ストレス抑制具１は、内部に血液が存在する生体の手首３１又は足首３２の周りに巻き付ける例えば伸縮性を有し帯状に形成した布製二層形態のバンド３と、このバンド３の両端に配置した止着具オス１２と止着具メス１３とからなる止着具１１とを具備し、前記手首又は足首の周りに着脱可能に取り付けるバンド式の取り付け具２と、前記取り付け具２に保持されて前記手首３１又は足首３２の外周にこの手首３１又は足首３２を挟んで正対（相対向）するように例えば２個分離配置される直方体状の電磁波作用体２１と、を有している。前記止着具オス１２と止着具メス１３とは、ワンンタッチで嵌め付け、分離可能な構造を採用している。
【００２１】
前記バンド３は、二層構造で、前記手首３１又は足首３２の外周寸法に略相当する長さを有し、図１、図２においてその中央部より右側に一方の電磁波作用体２１を保持し、中央部より左側に他方の電磁波作用体２１を保持し、また、右側の端部にバンド３を挿通状態で止着具オス１２を取り付け、左側の端部にバンド３を挿通状態で止着具メス１３を取り付けている。
【００２２】
前記止着具オス１２は、止着具オス基部１２ａと、この止着具オス基部１２ａから外方に突設するとともに、止着具オス基部１２ａにより回動可能に支持された一対の開閉嵌め付け片１２ｂ、１２ｂと、前記止着具オス基部１２ａに設けた前記バンド３挿通用の挿通穴１２ｃとを具備している。
【００２３】
そして、前記一対の開閉嵌め付け片１２ｂ、１２ｂを、各々図示しないバネにより常時開方向（前記バンド３の幅方向）に一定の範囲で付勢している。
【００２４】
前記止着具メス１３は、止着具メス基部１３ａと、この止着具メス基部１３ａと一体の止着具オス受部１３ｂと、前記止着具メス基部１３ａに設けた前記バンド３挿通用の挿通穴１３ｄとを具備している。
【００２５】
前記止着具オス受部１３ｂは、前記一対の開閉嵌め付け片１２ｂ、１２ｂを嵌装し前記止着具オス１２を前記止着具メス１３に連結可能に構成するとともに、前記開閉嵌め付け片１２ｂ、１２ｂが嵌装されたとき、これら開閉嵌め付け片１２ｂ、１２ｂの一部（前記バンド３の幅方向に位置する側辺部の一部）が表出し、操作者が前記図示しないバネの付勢力に抗して開閉嵌め付け片１２ｂ、１２ｂを指操作し前記止着具オス１２を前記止着具メス１３から離脱し得るように一対の操作用凹部１３ｃ、１３ｃを設けている。
【００２６】
更に、前記バンド３は、その中央部より右側に一方の電磁波作用体２１をその長辺方向で包囲して保持する包囲保持部３ａを設け、中央部より左側に他方の電磁波作用体２１をその長辺方向で包囲して保持する包囲保持部３ｂを設けている。
【００２７】
前記包囲保持部３ａと、包囲保持部３ｂとの間隔は、本実施例に係るバンド着脱式血液酸化ストレス抑制具１を手首３１又は足首３２の外周に取り付けたとき、前記包囲保持部３ａと、包囲保持部３ｂにより各々保持された２個の電磁波作用体２１、２１がこの手首３１又は足首３２を挟んで正対（相対向）するような所定の間隔に設定している。
【００２８】
また、前記一方の包囲保持部３ａは、二層構造のバンド３の一部を電磁波作用体２１をその長辺方向で包囲可能な範囲で一層ずつ上下に分離した状態とし、その分離した領域内に電磁波作用体２１を挟み込み、更に、電磁波作用体２１の上面と上側の一層部分、電磁波作用体２１の下面と下側の一層部分を各々接着剤を用いて固着して電磁波作用体２１を定位置に保持するように構成している。
【００２９】
なお、他方の包囲保持部３ｂも一方の包囲保持部３ａと同様に構成している。
【００３０】
更に、前記二層構造のバンド３は、前記止着具オス１２の近傍位置から一方の包囲保持部３ａの近傍位置に至る範囲、一方の包囲保持部３ａの近傍位置から他方の包囲保持部３ｂの近傍位置に至る範囲、及び、他方の包囲保持部３ｂの近傍位置から前記止着具メス１３の近傍位置に至る範囲を、各々二層構造が一体化するように接着剤を用いて接着している。
【００３１】
次に、前記電磁波作用体２１について図３、図４を参照して詳述する。
【００３２】
前記電磁波作用体２１は、例えばステンレス製で直方体状の容器２２と、この容器内に配置した電磁波を放射する直方体状の黒体放射焼結体２３と、この黒体放射焼結体２３と重合配置され前記黒体放射焼結体２３が放射する電磁波を磁界により収束して手首又は足首内の血管中の血液に作用させる孔空き構造の多層磁性体２４と、を具備している。
【００３３】
前記黒体放射焼結体２３は、複種類の金属酸化物を粉体化し、１０００〜１４００℃で熱処理して形成されている。
【００３４】
前記黒体放射焼結体２３は、次の７種の原料であるコバルト（Ｃｏｂａｌｔ）、ニッケル（Ｎｉｃｋｅｌ）、マンガン（Ｍａｎｇａｎｅｓｅ）、銅（Ｃｏｐｐｅｒ）、鉄（Ｉｒｏｎ）、ボロン（Ｂｏｒｏｎ）、アルミニウム（Ａｌｕｍｉｎｕｍ）を主成分とし、これらに次のネオジウム（Ｎｅｏｄｙｍｉｕｍ）、プラセオジウム（Ｐｒａｓｅｏｄｙｍｉｕｍ）、イットリウム（Ｙｔｔｒｉｕｍ）、ランサニウム（Ｌａｎｔｈａｎｕｍ）、セリウム（Ｃｅｒｉｕｍ）、サマリウム（Ｓａｍａｒｉｕｍ）、ユウロピウム（Ｅｕｒｏｐｉｕｍ）、ガドリニウム（Ｇａｄｏｌｉｎｉｕｍ）、テルビウム（Ｔｅｒｂｉｕｍ）、ディスプロシウム（Ｄｙｓｐｒｏｓｉｕｍ）、ホルミウム（Ｈｏｌｍｉｕｍ）、エルビウム（Ｅｒｂｉｕｍ）、ツリウム（Ｔｈｕｌｉｕｍ）、イッテルビウム（Ｙｔｔｅｒｂｉｕｍ）、ルテチウム（Ｌｕｔｅｔｉｕｍ）、クロミウム（Ｃｈｒｏｍｉｕｍ）の内の５種の金属酸化物を混合、すなわち、計１２種の金属酸化物を混合して形成されている。
【００３５】
前記多層磁性体２４は、長方形状の磁石板２５を、Ｎ極とＳ極とが互いに交互に配置されるように非磁性体被覆２６を用いて多層（例えば３層）一体構造としたものである。
【００３６】
また、各磁石板２５には、例えば直径１ｍｍ以下の微細な電磁波通過穴２５ａが多数設けられ、各磁石板２５の各電磁波通過穴２５ａがその重なり方向で一直線に並ぶように配列されている。
【００３７】
そして、前記バンド着脱式血液酸化ストレス抑制具１を手首３１又は足首３２の周りに取り付けたとき、前記電磁波作用体２１を構成する前記黒体放射焼結体２３が放射する電磁波を、前記多層磁性体２４の一直線に並んだ各電磁波通過穴２５ａを通過させ磁界により収束して手首３１又は足首３２内の血管中の血液に作用させるように構成している。
【００３８】
図５は、本実施例のバンド着脱式血液酸化ストレス抑制具１を、被装着者の手首３１に取り付けた状態を示すものである。
【００３９】
また、図６、図７は、本実施例のバンド着脱式血液酸化ストレス抑制具１を、被装着者の足首３２に取り付けた状態を示すものである。
【００４０】
次に、本実施例のバンド着脱式血液酸化ストレス抑制具１を使用した場合における血液の酸化ストレスの減少効果に関する試験結果について図８乃至図１０を参照して説明する。
【００４１】
この試験の内容は以下の通りである。
（血液試験の提供者）
本試験は奥羽大学の倫理委員会の審査を得ており、またヘルシンキ宣言に基づくものである。９人の健康な血液提供者にバンド着脱式血液酸化ストレス抑制具１による電磁波を照射し、その血液を採血した。
【００４２】
（採血した血液のｄ−ＲＯＭとＢＡＰの測定）
ウイスマー社のＦＲＡＳ４（Ｆｒｅｅ  Ｒａｄｉｃａｌ  Ａｎａｌｙｔｉｃａｌ  Ｓｙｓｔｅｍ４）により採血した血液の酸化ストレス（ｄ−ＲＯＭ）の値と抗酸化力（ＢＡＰ）を測定した。
【００４３】
ここに、「ｄ−ＲＯＭ」とは、「Ｄｉａｃｒｏｎｒｅａｃｔｉｖｅ  ｏｘｙｇｅｎ  ｍｅｔａｂｏｌｉｔｅｓ」の略称で、「酸化ストレス」を意味する。
また、「ＢＡＰ」とは、「ｂｉｏｌｏｇｉｃａｌ  ａｎｔｉｏｘｉｄａｎｔ  ｐｏｔｅｎｔｉａｌ」の略称で、「抗酸化力」を意味する。
【００４４】
予め各血液提供者の血液を採血し、そのｄ−ＲＯＭ、ＢＡＰを測定した。
【００４５】
また、前記バンド着脱式血液酸化ストレス抑制具１を各血液提供者の足首３２に装着し電磁波を照射（１０分間（強度１．０×１０−３ｄＢ  Ｖ／ｍ×３））し、その後血液を採血してｄ−ＲＯＭ、ＢＡＰを測定した。
【００４６】
９人の血液提供者から提供されたバンド着脱式血液酸化ストレス抑制具１使用前後の各血液のｄ−ＲＯＭとＢＡＰの測定結果を図８に示す。
【００４７】
図８から明らかなように、バンド着脱式血液酸化ストレス抑制具１使用前の各血液のｄ−ＲＯＭの値は平均して２４９．６±６．７（ｍｅａｎ±ＳＥ）であった。
【００４８】
一方、バンド着脱式血液酸化ストレス抑制具１使用後の各血液のｄ−ＲＯＭの値は劇的に減少し平均して２３０．４±１４．８（ｍｅａｎ±ＳＥ）（ｐ＜０．０１）となった。
【００４９】
１０分間の電磁波の照射後おいて、ｄ−ＲＯＭの値とは対照的に、ＢＡＰの値に変化は無かった（照射前／照射後＝２４０１．１±３７．５  ｖｓ  ２４０１．２±３７．０，ｍｅａｎ±ＳＥ）。
【００５０】
そして、ＢＡＰ／ｄ−ＲＯＭの値は、９人の血液提供者に関してバンド着脱式血液酸化ストレス抑制具１の使用前に比べ使用後はいずれも図８に示すように有意に上昇していることを確認できた。
【００５１】
図９は９人の血液提供者個人別のバンド着脱式血液酸化ストレス抑制具１使用前後におけるＢＡＰ／ｄ−ＲＯＭの変化を示すグラフであり、図８に示す場合と同様な結果を示している。
【００５２】
以上説明したように、正常な状態下においても、１０分間の電磁波照射は、生体内のＨ２Ｏ２をおよそ０．１６ｍｇ抑えるができた。人間の持つ抗酸化力（ＢＡＰ）は何の変化もなく、免疫力の低下はなかった。
【００５３】
ところで、健康的な血液提供者は２５０−３００ＣＡＲＥ  Ｕ（２０．０８−２４．００ｍｇ／ｄＬ  ｏｆ  Ｈ２Ｏ２）と推測される。ここに、１ＣＡＲＥ  ＵユニットはＨ２Ｏ２０．０８ｍｇであり、ＣＡＲＲ  Ｕは活性酸素と同じである血液中のヒドロペルオキシド値を示すものである。これらの数値は正常値であり、血液提供者達が健康であることを示す。
【００５４】
前記バンド着脱式血液酸化ストレス抑制具１について更に考察すると、バンド着脱式血液酸化ストレス抑制具１からの電磁波の水への照射は、Ｆｅ（ＩＩＩ）イオンをＦｅ（ＩＩ）イオンへと還元する水和電子を放出するマイナス帯電した水をつくる。
【００５５】
前記バンド着脱式血液酸化ストレス抑制具１からの電磁波は同様に血液に対して作用し、酸化ストレス（ｄ−ＲＯＭ）を減少させる。
【００５６】
本願発明者が予備調査として行ったバンド着脱式血液酸化ストレス抑制具１による電磁波照射についての生体の睡眠への影響に関する試験においては、その眠気を増幅させ血液の鎮静効果をもたらす効果があると推定された。
【００５７】
すなわち、血液中の酸化ストレスの蓄積は眠気を生じさせると考えられるが、酸化ストレスを取り除くことにより、安易に眠りにつくことが出来るようになると思われる。
【００５８】
更に、前記バンド着脱式血液酸化ストレス抑制具１による電磁波照射は動物の行動停止時間に影響を与えると推定される。
【００５９】
図１０はＮｏ．１マウスとＮｏ．２マウスに関するバンド着脱式血液酸化ストレス抑制具１使用時と、不使用時とにおけるＢＡＰ／ｄ−ＲＯＭの比較を示すグラフである。
【００６０】
この場合も、Ｎｏ．１マウス、Ｎｏ．２マウスともにバンド着脱式血液酸化ストレス抑制具１の使用前に比べ使用後はいずれもＢＡＰ／ｄ−ＲＯＭが有意に上昇していることを確認できた。
【００６１】
例えば、前記バンド着脱式血液酸化ストレス抑制具１による電磁波照射はマウスの行動停止時間を増加させると推定される。
【００６２】
次に、図１１、図１２を参照して被験者１、被験者２に対して行った前記バンド着脱式血液酸化ストレス抑制具１を使用する前後における計算能力テストの結果について説明する。
【００６３】
図１１は、被験者１に対して行ったバンド着脱式血液酸化ストレス抑制具１を使用する前後における計算能力テスト結果を示すものであり、被験者１が前記バンド着脱式血液酸化ストレス抑制具１を使用する前に行った計算能力テストの場合には、図１１の上欄（右欄は右脳、左欄は左脳を示す）に示すように、被験者１の右脳の状態は興奮状態（図中の濃い部分Ａ）で、左脳の状態は右脳の興奮状態よりも低い興奮状態（図中の右欄の濃い部分Ａよりも薄い部分Ａ’）で、また、このときの計算能力テスト結果は１０４点であった。
【００６４】
これに対して、被験者１が前記バンド着脱式血液酸化ストレス抑制具１を使用した後に行った計算能力テストの場合には、図１１（右欄は右脳、左欄は左脳を示す）の下欄に示すように、被験者１の右脳の状態は沈静化（図中の薄い部分Ａ’）し、左脳の状態は集中力が増し脳の働きが活性化（図中の右欄の薄い部分Ａ’よりも濃い部分Ａ）して脳の動きは活発化し、このときの計算能力テスト結果は１２５点であった。
【００６５】
図１２は、前記被験者１とは別の被験者２に対して行ったバンド着脱式血液酸化ストレス抑制具１を使用する前後における計算能力テスト結果を示すものであり、被験者２が前記バンド着脱式血液酸化ストレス抑制具１を使用する前に行った計算能力テストの場合には、図１２の上欄（右欄は右脳、左欄は左脳を示す）に示すように、被験者２の左右の脳の状態は興奮状態（図中の薄い部分Ａ’）で、また、このときの計算能力テスト結果は９４点であった。
【００６６】
これに対して、被験者２が前記バンド着脱式血液酸化ストレス抑制具１を使用した後に行った計算能力テストの場合には、図１２（右欄は右脳、左欄は左脳を示す）の下欄に示すように、被験者２の右脳の状態は沈静化し、左脳の状態は集中力が増し脳の働きが活性化（図中の濃い部分Ａ）し、脳の動きは活発化して、このときの計算能力テスト結果は１０７点であった。
【００６７】
図１１、図１２に示す結果から明らかなように、前記バンド着脱式血液酸化ストレス抑制具１を使用することによって、被験者１、被験者２ともに使用しない場合に比べて１０％以上の計算能力の向上を実現し得ることが確認できた。
なお、本実施例に係るバンド着脱式血液酸化ストレス抑制具１において、前記バンド３としては、布製とする他、革製、金属製等のバンドを使用することも可能である。
【００６８】
また、本実施例に係るバンド着脱式血液酸化ストレス抑制具１においては、前記バンド３に対して電磁波作用体２１を２個分離配置した場合について説明したが、これに限らず４個、６個等更に多数の電磁波作用体２１を分離配置に取り付けた構成とすることも可能である。
【００６９】
更に、前記多層磁性体２４を構成する磁石板２５の積層個数も、上述した実施例の場合に限定されず、５枚、８枚等更に多数個積層してもよい。
【産業上の利用可能性】
【００７０】
本発明に係るバンド着脱式血液酸化ストレス抑制具は、上述した場合の他、生体の太腿周り、腕周り、胴体周り等のような他の部位に取り付けて血液の酸化ストレスを抑制する用具として広範に応用可能である。
【符号の説明】
【００７１】
１    バンド着脱式血液酸化ストレス抑制具
２    取り付け具
３    バンド
３ａ  包囲保持部
３ｂ  包囲保持部
１１    止着具
１２    止着具オス
１２ａ  止着具オス基部
１２ｂ  開閉嵌め付け片
１２ｃ  挿通穴
１３    止着具メス
１３ａ  止着具メス基部
１３ｂ  止着具オス受部
１３ｃ  挿通穴
１３ｄ  操作用凹部
２１    電磁波作用体
２２    容器
２３    黒体放射焼結体
２４    多層磁性体
２５    磁石板
２５ａ  電磁波通過穴
２６    非磁性体被覆
３１    手首
３２    足首
【図１】
0006572101.tif 000002
【図２】
0006572101.tif 000003
【図３】
0006572101.tif 000004
【図４】
0006572101.tif 000005
【図５】
0006572101.tif 000006
【図６】
0006572101.tif 000007
【図７】
0006572101.tif 000008
【図８】
0006572101.tif 000009
【図９】
0006572101.tif 000010
【図１０】
0006572101.tif 000011
【図１１】
0006572101.tif 000012
【図１２】
0006572101.tif 000013